【手続補正書】
【提出日】平成25年6月19日(2013.6.19)
【手続補正１】
【補正対象書類名】特許請求の範囲
【補正対象項目名】全文
【補正方法】変更
【補正の内容】
【特許請求の範囲】
【請求項１】
ユーザの印刷ジョブを格納する画像形成装置と通信可能な画像形成装置であって、
前記印刷ジョブの一覧を取得する先の画像形成装置一覧を取得する画像形成装置一覧取得手段と、
前記画像形成装置一覧取得手段により取得された画像形成装置一覧に従って、認証されたユーザの印刷ジョブの一覧要求を、複数の他の画像形成装置に対して要求する一覧要求手段と、
前記一覧要求手段での一覧要求に応じて、前記要求先である複数の他の画像形成装置から印刷ジョブに関する情報を受け付ける受付手段と、
前記複数の他の画像形成装置に格納された印刷ジョブに関する情報と、要求元である自身の画像形成装置に格納された印刷ジョブに関する情報と、を集約する集約手段と、
前記集約された印刷ジョブに関する情報のうち、印刷指示を受付けた当該印刷ジョブに関する情報から特定される画像形成装置に対して印刷ジョブの出力要求をする出力要求手段と、
を備えることを特徴とする画像形成装置。
【請求項２】
前記出力要求手段によって出力要求された他の画像形成装置から取得して得られた印刷データの出力を行う出力手段を備えたことを特徴とする請求項１に記載の画像形成装置。
【請求項３】
前記格納した印刷ジョブを複製して得られた印刷ジョブを他の画像形成装置へ格納する格納手段を備え、
前記受付手段は、前記複数の他の画像形成装置に格納された複製して得られた印刷ジョブに関する情報を受け付けることを特徴とする請求項１または２に記載の画像形成装置。
【請求項４】
前記受付手段は、前記複数の他の画像形成装置に格納された複製元及び複製して得られた印刷ジョブに関する情報を受け付けることを特徴とする請求項３に記載の画像形成装置。
【請求項５】
前記集約された印刷ジョブに関する情報を表示する表示手段を備え、
前記出力要求手段は、前記表示手段においてユーザの印刷指示を受付けた当該印刷ジョブに関する情報から特定される画像形成装置に対して印刷ジョブを印刷するべく出力要求することを特徴とする請求項１乃至４の何れか１項に記載の画像形成装置。
【請求項６】
前記表示手段は、自身の画像形成装置に格納した複製元または複製して得られた印刷ジョブに関する情報を表示する請求項５に記載の画像形成装置。
【請求項７】
自身の画像形成装置に複製元または複製して得られた印刷ジョブが格納されているか否かを判定する格納判定手段を備え、
前記格納手段は、前記格納した印刷ジョブと前記印刷ジョブを複製して得られた印刷ジョブとが対応することを示す識別情報と共に、前記複製して得られた印刷ジョブを他の画像形成装置へ格納し、
前記表示手段は、前記集約された印刷ジョブに関する情報のうち、前記格納判定手段によって格納されていると判定した印刷ジョブと対応する他の画像形成装置に格納した印刷ジョブに関する情報が存在する場合、自身の画像形成装置に格納した複製元または複製して得られた印刷ジョブに関する情報を表示することを特徴とする請求項５または６に記載の画像形成装置。
【請求項８】
前記表示手段は、前記集約された印刷ジョブに関する情報のうち、前記格納判定手段によって格納されていないと判定した印刷ジョブであって、他の画像形成装置に格納した印刷ジョブである当該印刷ジョブに関する情報を表示することを特徴とする請求項７に記載の画像形成装置。
【請求項９】
前記出力手段によって、自身の画像形成装置に格納した複製元の印刷データを出力した場合、他の画像形成装置に格納した前記複製元の印刷データを複製して得られた印刷データの削除要求を前記他の画像形成装置にする削除要求手段を備えたことを特徴とする請求項３乃至８の何れか１項に記載の画像形成装置。
【請求項１０】
前記出力手段によって、他の画像形成装置に格納した複製元の印刷データを出力した場合、他の画像形成装置に格納した前記複製元の印刷データを複製して得られた印刷データの削除要求を前記他の画像形成装置にする削除要求手段を備えたことを特徴とする請求項３乃至９の何れか１項に記載の画像形成装置。
【請求項１１】
ユーザの印刷ジョブを格納する画像形成装置と通信可能な画像形成装置の処理方法であって、
前記画像形成装置の画像形成装置一覧取得手段が、前記印刷ジョブの一覧を取得する先の画像形成装置一覧を取得する画像形成装置一覧取得ステップ、
前記画像形成装置の一覧要求手段が、前記画像形成装置一覧取得ステップにより取得された画像形成装置一覧に従って、認証されたユーザの印刷ジョブの一覧要求を、複数の他の画像形成装置に対して要求する一覧要求ステップ、
前記画像形成装置の受付手段が、前記一覧要求ステップでの一覧要求に応じて、前記要求先である複数の他の画像形成装置から印刷ジョブに関する情報を受け付ける受付ステップ、
前記画像形成装置の集約手段が、前記複数の他の画像形成装置の印刷ジョブに関する情報と、要求元である自身の画像形成装置の印刷ジョブに関する情報と、を集約する集約ステップ、
前記画像形成装置の出力要求手段が、前記集約された印刷ジョブに関する情報のうち、印刷指示を受付けた当該印刷ジョブに関する情報から特定される画像形成装置に対して印刷ジョブの出力要求をする出力要求ステップ、
を実行することを特徴とする画像形成装置の処理方法。
【請求項１２】
ユーザの印刷ジョブを格納する画像形成装置と通信可能な画像形成装置において読取実行可能なプログラムであって、
前記画像形成装置を、
前記印刷ジョブの一覧を取得する先の画像形成装置一覧を取得する画像形成装置一覧取得手段と、
前記画像形成装置一覧取得手段により取得された画像形成装置一覧に従って、認証されたユーザの印刷ジョブの一覧要求を、複数の他の画像形成装置に対して要求する一覧要求手段と、
前記一覧要求手段での一覧要求に応じて、前記要求先である複数の他の画像形成装置から印刷ジョブに関する情報を受け付ける受付手段と、
前記複数の他の画像形成装置の印刷ジョブに関する情報と、要求元である自身の画像形成装置の印刷ジョブに関する情報と、を集約する集約手段と、
前記集約された印刷ジョブに関する情報のうち、印刷指示を受付けた当該印刷ジョブに関する情報から特定される画像形成装置に対して印刷ジョブの出力要求をする出力要求手段と、
して機能させることを特徴とするプログラム。
【手続補正２】
【補正対象書類名】明細書
【補正対象項目名】００１２
【補正方法】変更
【補正の内容】
【００１２】
そこで、本発明の目的は、複数の画像形成装置に記憶された印刷ジョブを、任意の画像形成装置で印刷を実行するにあたり、処理効率のよい印刷を実行することができる仕組みを提供することである。
【手続補正３】
【補正対象書類名】明細書
【補正対象項目名】００１３
【補正方法】変更
【補正の内容】
【００１３】
前述した目的を達成するための、ユーザの印刷ジョブを格納する画像形成装置と通信可能な画像形成装置であって、前記印刷ジョブの一覧を取得する先の画像形成装置一覧を取得する画像形成装置一覧取得手段と、前記画像形成装置一覧取得手段により取得された画像形成装置一覧に従って、認証されたユーザの印刷ジョブの一覧要求を、複数の他の画像形成装置に対して要求する一覧要求手段と、前記一覧要求手段での一覧要求に応じて、前記要求先である複数の他の画像形成装置から印刷ジョブに関する情報を受け付ける受付手段と、前記複数の他の画像形成装置に格納された印刷ジョブに関する情報と、要求元である自身の画像形成装置に格納された印刷ジョブに関する情報と、を集約する集約手段と、前記集約された印刷ジョブに関する情報のうち、印刷指示を受付けた当該印刷ジョブに関する情報から特定される画像形成装置に対して印刷ジョブの出力要求をする出力要求手段とを備えることを特徴とする。
【手続補正４】
【補正対象書類名】明細書
【補正対象項目名】００１４
【補正方法】変更
【補正の内容】
【００１４】
複数の画像形成装置に記憶された印刷ジョブを、任意の画像形成装置で印刷を実行するにあたり、複数の画像形成装置に記憶されている印刷ジョブに関する情報を集約し、当該集約した印刷ジョブに関する情報から印刷する印刷ジョブを特定するため、処理効率の良い印刷を実行することができる。